(57)【要約】      （修正有）【課題】ユーザのニーズに応じて、カウンターウェイト部材を増やしたり減らしたりすることで、カスタマイズされた異なる重量によって、適するトレーニング效果を達成するウエイトトレーニング器具を提供する。【解決手段】ウエイトトレーニング器具は、持ち手部材２および第一カウンターウェイト部材４を有する。そのうち、持ち手部材２の一端は、内ネジ孔のボルトオン部を備える。第一カウンターウェイト部材４は第一軸杆４１および第一軸杆４１外周辺縁で包囲された第一カウンターウェイト部４を有し、且つ第一軸杆４１の一端は持ち手部材２のボルトオン部をロックするために、ネジ杆の第一ボルトオン部４１１を備える。持ち手部材２および第一カウンターウェイト部材４の間は、少なくとも一つの第二カウンターウェイト部材３を直列連結する。【選択図】図１
0003224971.tif 000002
【実用新案登録請求の範囲】
【請求項１】
ウエイトトレーニング器具において、
一端にボルトオン部を備える持ち手部材と、
第一軸杆および前記第一軸杆の外周辺縁で包囲する第一カウンターウェイト部を有し、
前記第一軸杆の一端は前記持ち手部材の前記ボルトオン部をロックするために第一ボルトオン部を備える第一カウンターウェイト部材を有することを特徴とするウエイトトレーニング器具。
【請求項２】
前記第一カウンターウェイト部の一端は第一支持部を備えて、前記持ち手部材の一端を包囲して位置を制限することを特徴とする請求項１記載のウエイトトレーニング器具。
【請求項３】
前記ウエイトトレーニング器具は、更に直列連結の少なくとも一つの第二カウンターウェイト部材を有し、前記第二カウンターウェイト部材は第二軸杆および前記第二軸杆外側周辺縁で包囲された第二カウンターウェイト部を有し、前記少なくとも一つの第二軸杆の一端はボルトオン部をロックするために第二ボルトオン部を有し、前記少なくとも一つの第二軸杆の他端は第一ボルトオン部をロックするために第三ボルトオン部を有することを特徴とする請求項１または２記載のウエイトトレーニング器具。
【請求項４】
前記第二カウンターウェイト部の一端は第二支持部を備えることを特徴とする請求項３記載のウエイトトレーニング器具。
【請求項５】
前記ボルトオン部および前記第三ボルトオン部は内ネジ孔であり、前記第一ボルトオン部および前記第二ボルトオン部はネジ杆であることを特徴とする請求項３記載のウエイトトレーニング器具。
【請求項６】
前記ウエイトトレーニング器具は、更に外被覆層を有し、前記外被覆層は前記第一カウンターウェイト部材および前記少なくとも一つの第二カウンターウェイト部材の外側周辺縁を被覆することを特徴とする請求項３載のウエイトトレーニング器具。
【考案の詳細な説明】
【技術分野】
【０００１】
本考案は、ダンベル、ケトルベルまたはバーベル類のウエイトトレーニング器具に関するもので、特にカスタマイズでき、更に重複して購入する費用を節約するものである。
【背景技術】
【０００２】
現在、市場でよく見かける各種トレーニング器具、例として自転車トレーニング器具、腕力トレーニング器具は、その購入費用が高く、且つ体積が大きいため、一般家庭で使用するのは適さない。またダンベル、ケトルベルまたはバーベルの類のウエイトトレーニング器具は体積が小さく、収納しやすい。購入費用も高くないので買いやすく、場所を取らず、且つ体の多数部位のウエイトトレーニングがいつでもできる。拠って、今日では一般社会でのよく使用するトレーニング器具の一つとなっている。また、一般のウエイトトレーニング器具は鋳鉄の一体成形で製造する他に、合成樹脂で固定した形状にブロー成形した後、セメントを注入して成形する。
このようなトレーニング器具は、例えば、特許文献１に開示されるようなウエイト着脱式ケトルベルが知られている。
【先行技術文献】
【特許文献】
【０００３】
【特許文献１】特開２００７−２１１２３号公報
【考案の概要】
【考案が解決しようとする課題】
【０００４】
解決しようとする問題点として、上述の鋳鉄またはセメントに依る硬化一体成形で製造したウエイトトレーニング器具は、その全体の体積および重量がすでに固定しており、個人のニーズに応えることや変更することはできない。そのため、カスタマイズによって適する運動効果を達成できないだけでなく、且つ異なる時期のニーズに応じて別々に購入しなければならないので、購入費用がかさむ。これらを鑑み、公知技術の構造ではない物を提供して、上述の欠点を改善し、考案者は、長年の経験およびたゆまぬ研究開発から、本考案を提供することとなった。
【０００５】
ロック方式の少なくとも一つのカウンターウェイト部材を直列連結する構造によって、公知のウエイトトレーニング器具がカスタマイズ成形できず、且つ常に購入費用が増加する問題を解決し、また個人の実際のニーズに応じてカウンターウェイト部材を増やしたり減らしたりして、適したトレーニング効果を達成し、購入費用を節約するウエイトトレーニング器具を提供することを本考案の目的とする。
【０００６】
上述の目的を達成するため、本考案のウエイトトレーニング器具は、持ち手部材および第一カウンターウェイト部材を有する。そのうち、持ち手部材の一端はボルトオン部を備える。第一カウンターウェイト部材は第一軸杆および第一軸杆の外周辺縁で包囲する第一カウンターウェイト部を有し、且つ第一軸杆の一端は持ち手部材のボルトオン部をロックするために、第一ボルトオン部を備える。
【課題を解決するための手段】
【０００７】
実施時、第一カウンターウェイト部の一端は持ち手部材の一端を包囲して位置制限するために第一支持部を備える。
【０００８】
実施時、本考案は更に直列連結する少なくとも一つの第二カウンターウェイト部材を有する。第二カウンターウェイト部材は第二軸杆および第二軸杆外側の周辺縁で包囲する第二カウンターウェイト部を有し、少なくとも一つの第二軸杆の一端はボルトオン部をロックするために、第二ボルトオン部を備える。少なくとも一つの第二軸杆の別一端は第一ボルトオン部をロックするために第三ボルトオン部を備える。
【０００９】
実施時、ボルトオン部および第三ボルトオン部は内ネジ孔であり、第一ボルトオン部および第二ボルトオン部はネジ杆である。
【００１０】
実施時、本考案は更に外被覆層を有し、外被覆層は第一カウンターウェイト部材および少なくとも一つの第二カウンターウェイト部材の外側周辺縁に被覆する。
【考案の効果】
【００１１】
本考案のウエイトトレーニング器具は、以下の利点がある。
【００１２】
本考案は、少なくとも一つのカウンターウェイト部材をロック方式で直列連結し、そのうちのボルトオン部は主に直列連結構造とする。また外周辺縁で包囲する第一カウンターウェイト部の大きさ形状、材質および厚みは同じでもよく、また同じでなくても良い。つまり、個人の実際のニーズに応じて、カウンターウェイト部材を増やしたり減らしたりして、適したトレーニング効果を達成し、異なる規格製品を購入するコストを節約する。
【００１３】
本考案の各カウンターウェイト部材の最上端にはすべて支持部を設け、持ち手部材と第二カウンターウェイト部材の底部周辺縁で包囲して位置限定する。つまり、持ち手部材と各カウンターウェイト部材が相互に直列連結してロックするとき、簡単に定位し、連結関係を更に強固にする。
【図面の簡単な説明】
【００１４】
【図１】本考案の良好な実施例の部材分解図である。
【図２】本考案の良好な実施例の立体外観図である。
【図３】本考案の良好な実施例の組立断面図である。
【考案を実施するための形態】
【００１５】
本考案は、ダンベル、ケトルベルまたはバーベル類のウエイトトレーニング器具であり、主に持ち手部材および第一カウンターウェイト部材を有する。そのうち、持ち手部材の底端はボルトオン部を備える。また第一カウンターウェイト部材は第一軸杆および第一軸杆の外周辺縁で包囲する第一カウンターウェイト部を有する。第一軸杆の底端は持ち手部材のボルトオン部をロックするために第一ボルトオン部を備える。第一カウンターウェイト部の最上端は持ち手部材の底端を包囲して位置限定するために第一支持部を備える。
【実施例】
【００１６】
図１から図３に示すのは、本考案のウエイトトレーニング器具１の良好な実施例であり、本実施例において、ケトルベルを例とする。それは主に順に直列連結する持ち手部材２、少なくとも一つの第二カウンターウェイト部材３および第一カウンターウェイト部材４を有し、且つ少なくとも一つの第二カウンターウェイト部材３および第一カウンターウェイト部材４の外側周辺縁は外被覆層５で被覆され、緩衝および外部色彩の変化を形成する。
【００１７】
持ち手部材２の上半部は、ユーザが握るためのハンドル２１を備え、持ち手部材２の下半部はハンドル２１の両端を結合するための円弧形凸塊２２を備える。円弧形凸塊２２の底面周辺縁には環状円弧部２３を形成し、且つ円弧形凸塊２２の底面中央位置には上向きに凹んだ内ネジ孔を備え、該内ネジ孔はボルトオン部２４となる。
【００１８】
本実施例の第二カウンターウェイト部材３、３’、３”は三個設け、且つ上、下に直列連結して重ねる。三個の第二カウンターウェイト部材３、３’、３”は第二軸杆３１、３１’、３１”および第二軸杆３１、３１’、３１”外側周辺縁で包囲する第二カウンターウェイト部３２、３２’、３２”をそれぞれ有し、第二軸杆３１、３１’、３１”の最上端はネジ杆を備え、該ネジ杆は第二ボルトオン部３１１、３１１’、３１１”になる。  
第二軸杆３１、３１’、３１”の底面中央位置には上向きに凹んだ内ネジ孔を備え、該内ネジ孔は、第三ボルトオン部３１２、３１２’、３１２”になる。また第二カウンターウェイト部３２、３２’、３２”の最上端は第二支持部３２１、３２１’、３２１”を備え、第二支持部３２１、３２１’、３２１”は環状上向きに突出し且つ内側は弧面の凸環状を成形し、凸環状の内側面には第二納置空間３２２、３２２’、３２２”を形成する。第二カウンターウェイト部３２、３２’、３２”の底面周辺縁は第二環状円弧部３２３、３２３’、３２３”を形成する。  
最上端である第二カウンターウェイト部材３の第二ボルトオン部３１１に於いて持ち手部材２底面のボルトオン部２４を上向きにロックする時、持ち手部材２底面の環状円弧部２３が最上端である第二カウンターウェイト部材３の第二納置空間３２２内に納置されて位置制限する。並びに別の二個の第二カウンターウェイト部材３’、３”の第二ボルトオン部３１１’、３１１”が上方の第二カウンターウェイト部材３、３’底面の第三ボルトオン部３１２、３１２’をそれぞれロックする時、第二カウンターウェイト部材３、３’底面の第二環状円弧部３２３、３２３’が下端の第二カウンターウェイト部材３’、３”の第二納置空間３２２’、３２２”内にそれぞれ納置されて位置制限する。
【００１９】
また第一カウンターウェイト部材４は主に第一軸杆４１および第一軸杆４１外周辺縁で包囲された第一カウンターウェイト部４２を有する。第一軸杆４１の最上端はネジ杆を備え、該ネジ杆は第一ボルトオン部４１１となる。第一カウンターウェイト部４２の最上端は第一支持部４２１を備え、第一支持部４２１は環状上向きに突出し且つ内側は弧面の凸環状を成形し、凸環状の内側面は第一納置空間４２２を形成する。第一カウンターウェイト部４２の底面周辺縁は第一環状円弧部４２３を形成する。  
第一カウンターウェイト部材４の第一ボルトオン部４１１に、上向きに第二カウンターウェイト部材３”底面の第三ボルトオン部３１２”がロックすると、第二カウンターウェイト部材３”底面の第二環状円弧部３２３”が第一カウンターウェイト部４２の第一納置空間４２２の中に納置されて位置限定し、更に第一カウンターウェイト部４２の第一支持部４２１が第二カウンターウェイト部材３”底面の第二環状円弧部３２３”を包囲して位置限定する。
【００２０】
実施時、本考案ウエイトトレーニング器具１はダンベル構造に適用する。そのうち、持ち手部材２の一端は持ち手部材２、少なくとも一つの第二カウンターウェイト部材３および第一カウンターウェイト部材４の順に直列連結する。また持ち手部材２の他端は別の一組の第二カウンターウェイト部材および第一カウンターウェイト部材の順に直列連結する。両端が平衡する構造によって、個人の実際のニーズに応じて両端のカウンターウェイト部材の数を増やしたり、減らしたりする。
【００２１】
上述のとおりの内容によって、本考案は確かに予定の目的を達成し、各カウンターウェイト部材をしっかりと連結するだけでなく、カスタマイズによって適する運動トレーニング効果を提供し、且つウエイトトレーニング器具を何度も購入しなければならない重複購入費用を節約できるので実用新案登録を申請する。
【符号の説明】
【００２２】
１        ウエイトトレーニング器具
２        持ち手部材
２１        ハンドル
２２        円弧形凸塊
２３        環状円弧部
２４        ボルトオン部
３        第二カウンターウェイト部材
３’      第二カウンターウェイト部材
３”      第二カウンターウェイト部材
３１        第二軸杆
３１’      第二軸杆
３１”      第二軸杆
３１１        第二ボルトオン部
３１１’      第二ボルトオン部
３１１”      第二ボルトオン部
３１２        第三ボルトオン部
３１２’      第三ボルトオン部
３１２”      第三ボルトオン部
３２        第二カウンターウェイト部
３２’      第二カウンターウェイト部
３２”      第二カウンターウェイト部
３２１        第二支持部
３２１’      第二支持部
３２１”      第二支持部
３２２        第二納置空間
３２２’      第二納置空間
３２２”      第二納置空間
３２３        第二環状円弧部
３２３’      第二環状円弧部
３２３”      第二環状円弧部
４        第一カウンターウェイト部材
４１        第一軸杆
４２        第一カウンターウェイト部
４１１        第一ボルトオン部
４２１        第一支持部
４２２        第一納置空間
４２３        第一環状円弧部
５        外被覆層
【図１】
0003224971.tif 000003
【図２】
0003224971.tif 000004
【図３】
0003224971.tif 000005